(57)【要約】【課題】庫内に収容された物の照度を低下させずに庫内全体の照度を効率良く向上させることができる庫内用照明装置を提供する。また、加熱庫内に収容された被加熱物の照度を低下させずに加熱庫内全体の照度を効率良く向上させることができる電子レンジを提供する。【解決手段】庫内用照明装置１は、実装基板２を備えている。実装基板２上には、１０〜２０°の配光角で光を放射する複数の砲弾型発光ダイオード３と、４０〜８０°の配光角で光を放射する複数の表面実装型発光ダイオード４とが設置されている。【選択図】　　　図１
2004116847.tif 000002
【特許請求の範囲】
【請求項１】
所定の配光角の光を放射して、庫内に収容された物を照らす第１の半導体発光素子と、
前記配光角よりも大きい配光角の光を放射して、前記庫内を照らす第２の半導体発光素子と、
を具備することを特徴とする庫内用照明装置。
【請求項２】
被加熱物を収容し、かつ前記被加熱物を加熱する加熱庫と、
所定の配光角の光を放射して、前記加熱庫内に収容された前記被加熱物を照らす第１の半導体発光素子と、前記配光角よりも大きい配光角の光を放射して、前記加熱庫内を照らす第２の半導体発光素子とを備えた照明装置と、
を具備したことを特徴とする電子レンジ。
【発明の詳細な説明】
【０００１】
【発明の属する技術分野】本発明は、庫内照明装置及び電子レンジに関する。
【０００２】
【従来の技術】従来から、電子レンジには、被加熱物の加熱状態を観察するために照明装置が設置されている。このような照明装置としては、集光レンズを備えた発光ダイオードを複数個設置して、被加熱物をスポット的に照らすものが知られている（例えば、特許文献１参照。）。
【０００３】
【特許文献１】
特開平５−１６４３３１号公報（第２−第３頁、図１−図２）
【０００４】
【発明が解決しようとする課題】ところで、現在、被加熱物の加熱状態を即座に知ることができるように被加熱物の照度を低下させずに被加熱物から離れた場所の照度を向上させて、加熱庫全体の照度を向上させることが望まれている。
【０００５】
しかしながら、上記したような照明装置では、発光ダイオードが被加熱物を照らす目的のみで設置されているため、被加熱物の照度は高いものの被加熱物から離れた場所での照度は低い。このため、上記要望を満たすことができない。
【０００６】
ここで、このような要望を満たすために上記した発光ダイオードの数を増加させることが考えられる。しかしながら、上記した発光ダイオードはスポット的な光を放射するため、上記要望を満たすには発光ダイオードを相当数設置しなければならず、効率が悪いという問題がある。
【０００７】
本発明はこのような問題を解決するためになされたものであり、庫内に収容された物の照度を低下させずに庫内全体の照度を効率良く向上させることができる庫内用照明装置を提供することを目的とする。また、加熱庫内に収容された被加熱物の照度を低下させずに加熱庫内全体の照度を効率良く向上させることができる電子レンジを提供することを目的とする。
【０００８】
【課題を解決しようとする手段】請求項１記載の庫内照明装置は、所定の配光角の光を放射して、庫内に収容された物を照らす第１の半導体発光素子と、前記配光角よりも大きい配光角の光を放射して、前記庫内を照らす第２の半導体発光素子と、を具備することを特徴としている。本発明の庫内用照明装置は、第１の半導体発光装置と第２の半導体発光装置とを備えているので、庫内に収容された物の照度を低下させずに庫内全体の照度を効率良く向上させることができる。
【０００９】
請求項２記載の電子レンジは、被加熱物を収容し、かつ前記被加熱物を加熱する加熱庫と、所定の配光角の光を放射して、前記加熱庫内に収容された前記被加熱物を照らす第１の半導体発光素子と、前記配光角よりも大きい配光角の光を放射して、前記加熱庫内を照らす第２の半導体発光素子とを備えた照明装置と、を具備したことを特徴としている。本発明の電子レンジは、このような照明装置を備えているので、加熱庫内に収容された被加熱物の照度を低下させずに加熱庫内全体の照度を効率良く向上させることができる。
【００１０】
【発明の実施の形態】以下、実施の形態に係る庫内用照明装置及び電子レンジについて説明する。図１は本実施の形態に係る庫内用照明装置の模式的な平面図であり、図２は本実施の形態に係る砲弾型発光ダイオードの構造を模式的に示した図であり、図３は本実施の形態に係る砲弾型発光ダイオードの配光特性を模式的に示した図である。図４は本実施の形態に係る表面実装型発光ダイオードの構造を模式的に示した図であり、図５は本実施の形態に係る表面実装型発光ダイオードの配光特性を模式的に示した図である。
【００１１】
図１に示すように、庫内用照明装置１は、実装基板２を備えている。実装基板２上には、複数の砲弾型発光ダイオード３と、複数の表面実装型発光ダイオード４とが設置されている。砲弾型発光ダイオード３と表面実装型発光ダイオード４とは、交互に所定の間隔で設置されている。また、表面実装型発光ダイオード４は、取り付け角度が交互に異なるように設置されている。具体的には、表面実装型発光ダイオード４ａは表面実装型ダイオード４ｂに対して、ほぼ直交するように配設されている。表面実装型発光ダイオード４ａ、４ｂをこのように設置することにより、表面実装型発光ダイオード４ａ、４ｂから放射される光が分散し、より広い領域を照らすことができる。
【００１２】
砲弾型発光ダイオード３は、図２に示されるように一対のリードフレーム３１、３２を備えている。リードフレーム３１の先端部には、傾斜を有する窪み３１ａが形成されている。窪み３１ａには、発光可能なＬＥＤチップ３３が設置されている。
【００１３】
ＬＥＤチップ３３は、例えば波長が約３７０〜７８０ｎｍの連続した光を放射する。ＬＥＤチップ３３は、ボンディングワイヤ３４を介してリードフレーム３２に電気的に接続されている。また、ＬＥＤチップ３３は、パッケージ３５で覆われている。パッケージ３５でＬＥＤチップ３３を覆うことにより、ＬＥＤチップ３３が保護される。
【００１４】
パッケージ３５は、金属微粒子を含有させたエポキシ樹脂から形成されている。金属微粒子に使用される金属としては、例えば、Ｐｂ、Ａｌ、Ｆｅ、ステンレス鋼等が挙げられる。また、エポキシ樹脂に限らず、その他の光透過性材料を使用してもよい。その他の光透過性材料としては、例えば、ガラス、Ａｌ２Ｏ３等が挙げられる。
【００１５】
砲弾型発光ダイオード３が点灯すると、図３に示されるように砲弾型発光ダイオード３からは配光角αが約１０〜２０°の光が放射される。これは、窪み３１ａによりリードフレーム３１が反射板の役割を果たすとともにパッケージ３５がレンズの役割を果たすためである。
【００１６】
表面実装型発光ダイオード４は、図４に示されるように基板４１を備えている。基板４１の表面から基板の底面にかけては、一対のリードフレーム４２、４３が配設されている。リードフレーム４２上には発光可能なＬＥＤチップ４４が設置されている。
【００１７】
ＬＥＤチップ４４は、波長が約３７０〜７８０ｎｍの連続した光を放射する。また、ＬＥＤチップ４４は、ボンディングワイヤ４５を介してリードフレーム４３に電気的に接続されている。ＬＥＤチップ４４は、パッケージ４６で覆われている。パッケージ４６でＬＥＤチップ４４を覆うことにより、ＬＥＤチップ４４が保護される。
【００１８】
パッケージ４６は、金属微粒子を含有させたエポキシ樹脂から形成されている。金属微粒子に使用される金属としては、例えば、Ｐｂ、Ａｌ、Ｆｅ、ステンレス鋼等が挙げられる。また、エポキシ樹脂に限らず、その他の光透過性材料を使用してもよい。その他の光透過性材料としては、例えば、ガラス、Ａｌ２Ｏ３等が挙げられる。
【００１９】
表面実装型発光ダイオード４が点灯すると、図５に示されるように砲弾型発光ダイオード３の配光角αよりも大きい配光角βで光が放射される。具体的には、表面実装型発光ダイオード４からは配光角βが約４０〜８０°の光が放射される。砲弾型発光ダイオード３の配光角αよりも大きい配光角βで光が放射されるのは、リードフレーム４２が反射板の役割をほぼ果たないとともにパッケージ４６がレンズの役割をほぼ果たさないためである。
【００２０】
このような庫内用照明装置１は、例えば電子レンジに設置されて使用される。以下、庫内用照明装置１が設置された電子レンジについて説明する。図６は本実施の形態に係る電子レンジの模式的な斜視図であり、図７は本実施の形態に係る電子レンジに庫内用照明装置１を設置したときの庫内照明装置１及びその周辺部を模式的に示した図である。
【００２１】
図６に示されるように電子レンジ５０は、被加熱物を収容し、被加熱物を加熱する加熱庫５１を備えている。加熱庫５１の前面には、被加熱物を加熱庫５１内に搬入及び加熱物を加熱庫５１内から搬出するめの扉５２が図示しないヒンジを介して回動自在に設けられている。また、加熱庫５１の前面には、加熱時間等を設定するための操作パネル５３及び加熱時間等を表示する表示パネル５４が設けられている。
【００２２】
加熱庫５２の内面はマイクロ波を反射するため金属板５５で構成されている。金属板５５に使用される金属としては、例えば、Ｐｂ、Ａｌ、Ｆｅ、ステンレス鋼等が挙げられる。金属板５５の所定の箇所には砲弾型発光ダイオード３及び表面実装型発光ダイオード４から放射された光を加熱庫５１内に導入するための開口５５ａが形成されている。
【００２３】
加熱庫５１の内部には、加熱庫５１内にマイクロ波を導入するための図示しないマグネトロン及び高圧トランスが設置されている。また、加熱庫５１の内部には、庫内用照明装置１が設置されている。具体的には、図７に示されるように庫内照明装置１は、砲弾型発光ダイオード３及び表面実装型発光ダイオード４が開口５５ａの位置に合うように配設されている。
【００２４】
本実施の形態では、電子レンジ５０の照明装置として庫内用照明装置１を使用しているので、加熱庫５１内に収容された被加熱物の照度を低下させずに加熱庫５１内全体の照度を効率良く向上させることができる。即ち、庫内照明装置１は、砲弾型発光ダイオード３を備えているので、加熱庫５１内に収容された被加熱物をスポット的に照らすことができる。一方、庫内照明装置１は、表面実装型発光ダイオード４を備えているので、加熱庫５１内に収容された被加熱物から離れた場所を照らすことができるとともに砲弾型発光ダイオード３よりも広い領域を照らすことができる。それ故、加熱庫５１内に収容された被加熱物の照度を低下させずに加熱庫５１内全体の照度を効率良く向上させることができる。
【００２５】
本実施の形態では、パッケージ３５、４６に金属微粒子を含ませているので、マイクロ波によるパッケージ３５、４６の劣化を抑制することができる。即ち、パッケージはエポキシ樹脂が主成分であるため、マイクロ波により劣化し易い。なお、マイクロ波によりパッケージが劣化してしまうと、光が放射され難くなるため光束が低下してしまう。本実施の形態では、パッケージ３５、４６に金属微粒子を含ませているので、金属微粒子によりマイクロ波を反射させることができる。それ故、マイクロ波によるパッケージ３５、４６の劣化を抑制することができる。
【００２６】
本実施の形態では、開口５５ａが形成された金属板５５を使用しているので、マイクロ波によるパッケージ３５、４６の劣化を抑制することができる。
【００２７】
本実施の形態では、電子レンジ１の光源として砲弾型発光ダイオード３及び表面実装型発光ダイオード４のような発光ダイオードを使用しているので、白熱電球を使用する場合よりも寿命特性を向上させることができる。即ち、電子レンジの光源として白熱電球を使用すると、扉を開閉させたときの衝撃でフィラメントが切断され、寿命を迎えてしまう場合がある。これに対し、本実施の形態では、電子レンジの光源として、耐衝撃性が高い発光ダイオードを使用しているので、上記したような不具合がなくなる。それ故、白熱電球を使用する場合よりも寿命特性を向上させることができる。
【００２８】
なお、本発明は上記実施の形態の記載内容に限定されるものではなく、構造や材質、各部材の配置等は、本発明の要旨を逸脱しない範囲で適宜変更可能である。例えば、上記実施の形態では、砲弾型発光ダイオード３と表面実装型発光ダイオード４とを使用しているが、配光角が異なるものであれば、その他のものを使用していもよい。
【００２９】
上記実施の形態では、パッケージ３５、４６に金属微粒子を含ませているが、金属微粒子を含ませなくともよい。また、開口５５ａが形成された金属板５５を使用しているが、金網を使用してもよい。さらに、庫内用照明装置１を電子レンジ５０に設置しているが、庫内用照明装置１を冷蔵庫に設置してもよい。
【００３０】
【発明の効果】以上詳説したように、請求項１記載の庫内用照明装置によれば、庫内に収容された物の照度を低下させずに庫内全体の照度を効率良く向上させることができる。また、請求項２記載の電子レンジによれば、加熱庫内に収容された被加熱物の照度を低下させずに加熱庫内全体の照度を効率良く向上させることができる。
【図面の簡単な説明】
【図１】図１は実施の形態に係る庫内用照明装置の模式的な平面図である。
【図２】図２は実施の形態に係る砲弾型発光ダイオードの構造を模式的に示した図である。
【図３】図３は実施の形態に係る砲弾型発光ダイオードの配光特性を模式的に示した図である。
【図４】図４は実施の形態に係る表面実装型発光ダイオードの構造を模式的に示した図である。
【図５】図５は実施の形態に係る表面実装型発光ダイオードの配光特性を模式的に示した図である。
【図６】図６は実施の形態に係る電子レンジの模式的な斜視図である。
【図７】図７は実施の形態に係る電子レンジに庫内用照明装置を設置したときの庫内照明装置及びその周辺部を模式的に示した図である。
【符号の説明】
１…庫内用照明装置、３…砲弾型発光ダイオード、４…表面実装型発光ダイオード、５１…加熱庫。
【図１】
2004116847.tif 000003
【図２】
2004116847.tif 000004
【図３】
2004116847.tif 000005
【図４】
2004116847.tif 000006
【図５】
2004116847.tif 000007
【図６】
2004116847.tif 000008
【図７】
2004116847.tif 000009